(57)【要約】【課題】      既存の建築物に隣接してパーゴラ等の簡易構築物を設置する際、安価で、かつ簡単な作業で梁を架設することが出来る梁の取付構造を提供する。【解決手段】  建築物１０の壁面には梁基端部固定金具４０が横方向の略全長に亘って設けられ、建築物１０の固定構造物である柱１１に固定されている。フェンス２０の支柱２１の上端には、梁先端部固定金具５０が固定されている。梁３０の基端部を梁基端部固定金具４０に固定するとともに、先端部を梁先端部固定金具５０に固定している。これにより、梁３０を建築物１０とフェンス２０との間に架設したものである。【選択図】    図２
2007255161.tif 000002
【特許請求の範囲】
【請求項１】
屋外構築物の支柱に設けた梁先端部固定金具と、建築物の壁面に設けた梁基端部固定金具と、先端部が梁先端部固定金具に固定されるとともに、基端部が梁基端部固定金具に固定される梁とを有し、梁を屋外構築物と建築物との間に架設することを特徴とする梁の取付構造。
【請求項２】
前記梁基端部固定金具が建築物の横方向に同一断面形状で形成され、任意の部位で梁の基端部を固定できることを特徴とする請求項１記載の梁の取付構造。
【発明の詳細な説明】
【技術分野】
【０００１】
本発明は、フェンス等の屋外構築物と建築物との間に梁を架設することが出来る梁の取付構造に関するものである。
【背景技術】
【０００２】
一般に、一戸建ての住宅においては、敷地の境界にフェンスを設けるとともに、エントランス、駐車場、庭等を確保しつつ建物を建設するものである。しかしながら、建築当初に予定していなかったパーゴラ等を建物に隣接して設置したい場合がある。
【０００３】
従来、このような建物に隣接してパーゴラを設置する場合であっても、建物に隣接しない場合と同様に、単独でパーゴラを設置するものであった。例えば、支柱を設けるとともに、床づかで支持したデッキに補助支柱を設け、これら支柱及び補助支柱に梁を設け、さらに梁の上面に屋根用トレリスを設けるものであった（特許文献１参照）。また、防護柵の支柱に梁部を設け、この梁部にパネルからなる屋根面を設けたパネル一体型の防護柵が提案されている（特許文献２参照）。
【０００４】
【特許文献１】特開２００５−２３２７３２号公報
【特許文献２】特許第３５９８１９１号公報
【発明の開示】
【発明が解決しようとする課題】
【０００５】
しかしながら、特許文献１で提案されているような従来のパーゴラを設置する技術においては、支柱を新たに設けなければならないので、支柱の材料費負担並びに設置作業を強いられるものであった。また、特許文献２で提案されている防護柵においては、防護柵の設置時に同時に梁を設けるものであり、一旦設置した既設の防護柵の支柱に梁部を取付けるものではなく、さらに、梁部の先端は自由端となっているので、支持強度が小さく、大きな屋根を設けるのには不向きなものであった。
【０００６】
本発明は、以上の問題点を解決し、既存の建築物に隣接してパーゴラ等の簡易構築物を設置する際、安価で、かつ簡単な作業で梁を架設することが出来る梁の取付構造を提供することを目的とする。
【課題を解決するための手段】
【０００７】
本発明者は、上記問題点を解決するために鋭意検討し、建築物の壁面に着目するとともに、フェンス等の支柱に着目し、これら壁面及び支柱を梁を架設する固定構造物として利用すれば、新たに支柱を設置することなく梁を架設できることを見出し、本発明を完成させたものである。
【０００８】
請求項１に係る梁の取付構造は、屋外構築物の支柱に設けた梁先端部固定金具と、建築物の壁面に設けた梁基端部固定金具と、先端部が梁先端部固定金具に固定されるとともに、基端部が梁基端部固定金具に固定される梁とを有し、梁を屋外構築物と建築物との間に架設することを特徴としている。
【０００９】
請求項２に係る梁の取付構造は、請求項１記載の梁の取付構造において、梁基端部固定金具が建築物の横方向に同一断面形状で形成され、任意の部位で梁の基端部を固定できることを特徴としている。
【発明の効果】
【００１０】
請求項１に係る梁の取付構造においては、梁の先端部を屋外構築物の支柱に設けた梁先端部固定金具に固定するとともに、梁の基端部を建築物に設けた梁基端部固定金具に固定することにより、梁を屋外構築物と建築物とに簡単に架設することができる。したがって、既存の屋外構築物と建築物とを利用し、梁先端部固定金具と梁基端部固定金具とを用意するだけで梁を架設することができるので、梁を架設するために新たに支柱等を設置する必要がなく、極めて安価かつ簡単に梁を架設することができる。
【００１１】
請求項２に係る梁の取付構造においては、梁基端部固定金具を建築物の横方向に同一断面形状で形成しているので、梁基端部固定金具のどの部位においても梁の基端部を固定することができる。その結果、建築物の構造（柱の位置、壁等の配置）に拘わらず屋外構築物の支柱位置に対応して梁を架設することができる。すなわち、梁は屋外構築物の支柱に先端部を固定するものであるので、建築物においても支柱に対応する部位に柱等の固定構造物が必要になってくる。しかしながら、建築物の固定構造物が屋外構築物の支柱と対応することは少なく、事実上、梁を強固に架設できない場合が生じる。
【００１２】
そこで、梁基端部固定金具を建築物の横方向に同一断面形状で形成することにより、梁の基端部を梁基端部固定金具のどの部位においても固定することが出来るようにし、そして、梁基端部固定金具の建築物への固定は、固定構造物に対応した部位において行なうようにしたものである。すなわち、梁の基端部の梁基端部固定金具への固定部位と、梁基端部固定金具の建築物への固定構造物への固定とを異なる部位で行なうことができるので、屋外構築物の支柱と、建築物の固定構造物とが対応していない場合であっても、確実に梁を架設することができる。
【発明を実施するための最良の形態】
【００１３】
本発明の梁の取付構造は、梁の先端部が梁先端部固定金具に、梁の基端部が梁基端部固定金具に固定されている。梁先端部固定金具は、梁の先端部を屋外構築物の支柱に固定するためのもので、支柱に簡単な加工を施すことによって梁を固定出来る構造で在れば特に限定されないが、梁の内部に収納可能な構造が外観上好ましい。
【００１４】
梁基端部固定金具は、梁の基端部を建築物に固定するためのものであり、通常、柱等の固定構造物に固定出来る構造であれば特に限定されなが、梁を建築物の任意の位置で固定出来るようにすることが好ましい。このような構成にすることにより、建築物の固定構造物の配置及び屋外構築物の支柱の配置の総ての態様において、梁を架設することができる。例えば、梁基端部固定金具を建築物の横方向に同一断面形状で形成することにより、梁基端部固定金具の任意の位置で梁を固定することができる。
【００１５】
また、梁基端部固定金具は、梁を任意の角度で傾斜した状態で固定出来るようにすることが好ましい。梁を傾斜した状態で固定することにより、建築物と屋外構築物との間が短い場合であっても、建築物と屋外構築物との間に梁を架設することができる。また、梁を余り傾斜させずに架設したい場合は、屋外構築物の支柱の上部に補助支柱を形成し、この補助支柱の上部に梁先端部固定金具を取付けて梁を架設してもよい。
【００１６】
本発明による梁の取付構造の一実施形態を図面を参照して説明する。
【００１７】
図１は梁を建築物とフェンス支柱との間に架設した状態を示す平面図、図２は同上正面図、図３は同上側面図、図４は梁先端部固定金具部分の平面図、図５は梁先端部固定金具部分の側面図、図６は図５中Ａ−Ａ線断面図、図７は図４中Ｂ−Ｂ線断面図、図８は図４中Ｃ−Ｃ線断面図、図９は梁基端部固定金具部分の縦断面図、図１０は梁基端部固定金具部分の梁側から見た縦断面図である。
【００１８】
図１〜図３において、１０は建築物で、２０は建築物１０の前方に設けられた屋外構築物としてのフェンス２０で、これら建築物１０とフェンス２０との間に梁３０が架設されている。
【００１９】
建築物１０の壁面には梁基端部固定金具４０が横方向の略全長に亘って設けられ、建築物１０の固定構造物である柱１１に固定されており、また、フェンス２０の支柱２１の上端には、図４及び図５に示すように、梁先端部固定金具５０が固定されている。そして、梁３０の基端部を梁基端部固定金具４０に固定するとともに、先端部を梁先端部固定金具５０に固定することにより、梁３０を建築物１０とフェンス２０との間に架設したものである。なお、３１は梁３０の上部に設けた屋根体である。また、梁３０の外側は木目模様を有する樹脂カバーによって被覆され、木調の外観を呈している。
【００２０】
梁先端部固定金具５０は、図６〜図８に示すように、断面形状が略「Ｕ」字状に形成されたもので、底板部５１と両側の側板部５２とで構成されている。両側板部５２の外側面間の長さは、梁３０の内面間の長さと略同等に設定されており、梁先端部固定金具５０を梁３０に挿入した際、側板部５２が梁３０の内面に略接触するようになっている。
【００２１】
前記底板部５１には螺子挿通孔５３が縦方向に２個形成されており、また、この底板部５１の螺子挿通孔５３に対応する螺子挿通孔２２が支柱２１に形成されている。そして、螺子５４を、螺子挿通孔５３及び螺子挿通孔２２を介して底板部５１側から支柱２１内部へ挿通し、支柱２１内面に配置した裏板５５に螺着している。これにより、梁先端部固定金具５０が支柱２１に固定される。なお、支柱２１の螺子挿通孔２２は、既存のフェンスにおいては形成されていないので、梁３０を架設する際に、底板部５１の螺子挿通孔５３に対応するように形成するものである。
【００２２】
前記側板部５２には螺子孔５６が縦方向に２個形成されており、また、この側板部５２の螺子孔５６に対応する螺子挿通孔３２が、梁３０の先端部の両側において形成されている。そして、螺子５７を梁３０の外側から螺子挿通孔３２を介して挿通し、側板部５２の螺子孔５６に螺着している。これにより、梁３０の先端部が梁先端部固定金具５０に固定される。したがって、梁３０の先端部は、梁先端部固定金具５０を介して支柱２１の上部に固定されている。
【００２３】
前記梁基端部固定金具４０は、アルミニウム製形材によって同一断面形状に形成されており、図９及び図１０に示すように、建築物１０の柱１１あるいは壁面に密接する建築物取付部４１と、この建築物取付部４１と対向して形成された梁取付部４２とを有している。この梁取付部４２には、螺子挿通孔４３が形成された凹部４４が形成されており、この凹部４４と建築物取付部４１との間には、螺子で取付ける際に凹部４３を補強するための補強リブ４５が形成されている。また、凹部４４の螺子挿通孔４３と対応して建築物取付部４１にも螺子挿通孔４６が形成されている。そして、螺子４７を凹部４４側から螺子挿通孔４２及び螺子挿通孔４６を介して挿通し、建築物１０の柱１１に螺着している。これにより梁基端部固定金具４０が建築物１０に強固に固定される。
【００２４】
なお、凹部４４に形成した螺子挿通孔４３及び建築物取付部４１に形成した螺子挿通孔４６は、建築物１０の柱１１の配置に対応して形成するものである。すなわち、建築物１０の柱１１の配置は、各建築物１０により異なるので、種々の態様の柱の配置に対応することは困難である。したがって、建築物１０の柱１１の配置に対応して、その都度螺子挿通孔４３及び螺子挿通孔４６を形成するものである。
【００２５】
梁取付部４２の下端には略９０度の角度で突出した梁載置片４８が形成されており、この梁載置片４８には螺子挿通孔４９が形成されており、この螺子挿通孔４９に対応して梁３０の基端部下面にも螺子孔３３が形成されている。そして、梁載置片４８の下方か螺子挿通孔４９を介して螺子３４を挿通し、梁３０の螺子孔３３に螺着している。これにより、梁３０の基端部が梁基端部固定金具４０に固定される。なお、梁載置片４８の螺子挿通孔４９は、フェンス２０の支柱２１の間隔に対応して形成するものである。
【００２６】
また、梁取付部４２は建築物取付部４１に対して下向きに傾斜して形成されているので、梁載置片４８は斜め下方に傾斜して形成されている。したがって、梁載置片４３に梁３０の基端部を載置した際、梁３０に勾配を持たせた状態で架設できるので、梁３０に載置した屋根体３１にも勾配を付与することができる。
【図面の簡単な説明】
【００２７】
【図１】本発明による梁の取付構造の一実施形態において、梁を建築物とフェンスとの間に架設した状態を示す平面図
【図２】本発明による梁の取付構造の一実施形態において、梁を建築物とフェンスとの間に架設した状態を示す正面図
【図３】本発明による梁の取付構造の一実施形態において、梁を建築物とフェンスとの間に架設した状態を示す側面図
【図４】梁先端部固定金具部分の平面図
【図５】梁先端部固定金具部分の側面図
【図６】図５中Ａ−Ａ線断面図
【図７】図４中Ｂ−Ｂ線断面図
【図８】図４中Ｃ−Ｃ線断面図
【図９】梁基端部固定金具部分の縦断面図
【図１０】梁基端部固定金具部分の梁側から見た縦断面図
【符号の説明】
【００２８】
１０  建築物
１１  柱
２０  フェンス
２１  支柱
３０  梁
４０  梁基端部固定金具
４８  梁載置片
５０  梁先端部固定金具
【図１】
2007255161.tif 000003
【図２】
2007255161.tif 000004
【図３】
2007255161.tif 000005
【図４】
2007255161.tif 000006
【図５】
2007255161.tif 000007
【図６】
2007255161.tif 000008
【図７】
2007255161.tif 000009
【図８】
2007255161.tif 000010
【図９】
2007255161.tif 000011
【図１０】
2007255161.tif 000012